(57)【特許請求の範囲】
【請求項１】
無線機本体に収納および引き出し可能に支持されている第１のアンテナ部と、この第１のアンテナ部の上端部に連結された樹脂ジョイント部材と、この樹脂ジョイント部材に取り付けられる接続金具と、前記第１のアンテナ部に前記樹脂ジョイント部材および前記接続金具を介して取り付けられる第２のアンテナ部とを備え、前記第１のアンテナ部は、第１のアンテナ素子と、この第１のアンテナ素子を被覆している保護被膜とを有し、前記第２のアンテナ部は、第２のアンテナ素子と、この第２のアンテナ素子が取り付けられ上下端が開口された中空筒状体とを有し、前記樹脂ジョイント部材は、前記保護被膜と連結され前記中空筒状体の内部に収容される棒状体と、この棒状体の上端部に外径がこの棒状体より大きいように形成され前記中空筒状体に支持される頂部とを有し、前記接続金具は、前記樹脂ジョイント部材の前記棒状体が挿通される接続筒状体と、この接続筒状体の上外周部に形成され前記中空筒状部の下端部を支持する係止突起とを有し、前記第２のアンテナ部は、さらに前記第２のアンテナ素子と前記中空筒状体と前記樹脂ジョイント部材の前記頂部および前記係止突起の外面のほぼ全体を被覆する絶縁被覆部材を有することを特徴とするアンテナ装置。
【発明の詳細な説明】
【０００１】
本発明は、携帯無線機等に用いられるアンテナ装置に関し、特に、製造が容易であって価格を低減することができるアンテナ装置に関する。
【０００２】
【従来の技術】
一般に、普及している携帯電話機には通話のための電波を送受信するアンテナ装置が備えられている。一般に、このアンテナ装置は、携帯に便利なように、携帯電話機本体の箱体に収納および引き出し可能に支持されている。このアンテナ装置においては、アンテナ装置の全体を携帯電話機本体の箱体に収納した時には、送受信が不良となることから、アンテナ装置の上部にヘリカルアンテナ部を設けることにより、アンテナ装置を携帯電話機本体の箱体に収納した時に前記ヘリカルアンテナ部を携帯電話機本体の箱体の外に突出させた状態で使用するようにしている。
このようなアンテナ装置として、従来より図５および図６示すものが知られている。図５および図６示すように、このアンテナ装置は、無線機本体に収納および引き出し可能に支持されている第１のアンテナ部１０１と、この第１のアンテナ部１０１の上端部に形成された樹脂ジョイント部材１０２と、この樹脂ジョイント部材１０２に取り付けられる接続金具１０３と、第１のアンテナ部１０１に樹脂ジョイント部材１０２および接続金具１０３を介して取り付けられる第２のアンテナ部１０４とを備えている。
樹脂ジョイント部材１０２は、ほぼ棒状に形成されている。樹脂ジョイント部材１０２の上部には、雄ねじが形成されている。一方、接続金具１０３は、上下端を開口した筒状体で構成されている。この接続金具１０３の内周部には、雌ねじが形成されている。樹脂ジョイント部材１０２を接続金具１０３の内部に挿入して樹脂ジョイント部材１０２の雄ねじを接続金具１０３の雌ねじに螺合することにより、樹脂ジョイント部材１０２と接続金具１０３とが接続（連結）される。
【０００３】
【発明が解決しようとする課題】
しかしながら、従来のアンテナ装置においては、樹脂ジョイント部材１０２に雄ねじを形成し、接続金具１０３に雌ねじを形成し、樹脂ジョイント部材１０２の雄ねじを接続金具１０３の雌ねじに螺合する必要があるから、製造が困難であるという問題がある。
本発明の課題は、このような問題を解決することにあり、製造が容易であり、かつ、第２のアンテナ部が第１のアンテナ部から離脱するのを防止することができるアンテナ装置を提供することにある。
【０００４】
【課題を解決するための手段】
前記課題を解決するために、請求項１に記載の発明は、無線機本体に収納および引き出し可能に支持されている第１のアンテナ部と、この第１のアンテナ部の上端部に連結された樹脂ジョイント部材と、この樹脂ジョイント部材に取り付けられる接続金具と、前記第１のアンテナ部に前記樹脂ジョイント部材および前記接続金具を介して取り付けられる第２のアンテナ部とを備え、前記第１のアンテナ部は、第１のアンテナ素子と、この第１のアンテナ素子を被覆している保護被膜とを有し、前記第２のアンテナ部は、第２のアンテナ素子と、この第２のアンテナ素子が取り付けられ上下端が開口された中空筒状体とを有し、前記樹脂ジョイント部材は、前記保護被膜と連結され前記中空筒状体の内部に収容される棒状体と、この棒状体の上端部に外径がこの棒状体より大きいように形成され前記中空筒状体に支持される頂部とを有し、前記接続金具は、前記樹脂ジョイント部材の前記棒状体が挿通される接続筒状体と、この接続筒状体の上外周部に形成され前記中空筒状部の下端部を支持する係止突起とを有し、前記第２のアンテナ部は、さらに前記第２のアンテナ素子と前記中空筒状体と前記樹脂ジョイント部材の前記頂部および前記係止突起の外面のほぼ全体を被覆する絶縁被覆部材を有することを特徴とする。
【０００５】
【発明の実施の形態】
次に、本発明の実施の形態を図面に基づいて詳細に説明する。
図１は本発明の第１の実施の形態に係るアンテナ装置の一部を透視して示す一部切り欠き斜視図である。図２は図１のアンテナ装置を示す断面図である。
図１および図２に示すように、このアンテナ装置は、ホイップアンテナ部（第１のアンテナ部）１と、このホイップアンテナ部１の上端部に連結された樹脂ジョイント部材２と、この樹脂ジョイント部材２に取り付けられる接続金具３と、ホイップアンテナ部１に樹脂ジョイント部材２および接続金具３を介して取り付けられるヘリカルアンテナ部（第２のアンテナ部）４とを備えている。
ホイップアンテナ部１は、ホイップアンテナ素子（第１のアンテナ素子）１ａと、このホイップアンテナ素子１ａを被覆している保護被膜１ｂとを有している。ホイップアンテナ素子１ａは、ニッケルとチタンとの合金等の導体により形成された竿状のアンテナ素子である。保護被膜１ｂは、ポリブチレンテレフタレータ（ＰＢＴ）等の樹脂で形成されている。ホイップアンテナ部１は、無線機本体（図示せず）に収納および引き出し可能に支持されている。
【０００６】
ヘリカルアンテナ部４は、ヘリカルアンテナ素子（第２のアンテナ素子）４ａと、このヘリカルアンテナ素子４ａが取り付けられ上下端が開口された中空筒状体４ｂとを有している。ヘリカルアンテナ素子４ａは、コイル導体からなり、中空筒状体４ｂの側壁に埋設されている。中空筒状体４ｂは、ＡＢＳ等の樹脂で形成される。ヘリカルアンテナ素子４ａは、中空筒状体４ｂの側壁に埋設した状態になるように中空筒状体４ｂと一体的に形成される。
樹脂ジョイント部材２は、ホイップアンテナ部１の保護被膜１ｂと連結された下部２ａと、中空筒状体４ｂの内部に収容され下部２ａに一体的に形成され外径がこの下部２ａより大きい上部２ｂとを有している。上部２ｂの下端面は、下部２ａの側面とほぼ直角をなすように形成されている。樹脂ジョイント部材２は、ナイロン等の樹脂で形成される。樹脂ジョイント部材２の下部２ａには、下方へ開口された穴部が形成されている。樹脂ジョイント部材２の下部２ａと保護被膜１ｂとは、下部２ａの前記穴部に保護被膜１ｂを圧入することにより連結されている。
接続金具３は、接続筒状体３ａと、この接続筒状体３ａの上外周部に形成された係止突起３ｂとを有している。接続筒状体３ａは、上下端が開口されており内部に樹脂ジョイント部材２の下部２ｂが挿通される。係止突起３ｂは、接続筒状体３ａの内部を下部２ａが挿通した樹脂ジョイント部材２の上部２ｂの下端部および中空筒状部４ｂの下端部を支持する。なお、係止突起３ｂの上面部には、輪状の支持溝部（図示せず）が形成されている。ヘリカルアンテナ素子４ａの下端輪状部が係止突起３ｂの上面部の輪状の前記支持溝部に挿入されることにより、ヘリカルアンテナ素子４ａは接続金具３に固定（接続）された状態で支持され、かつ、電気的にも接続される。接続金具３は、アルミニウム等の金属材料で形成される。
ヘリカルアンテナ部４は、さらにヘリカルアンテナ素子４ａと中空筒状体４ｂと樹脂ジョイント部材２および係止突起３ｂの外面のほぼ全体を被覆する絶縁被覆部材４ｃを有している。絶縁被覆部材４ｃは、ＡＢＳ等の樹脂で形成される。
【０００７】
次に、図１のアンテナ装置の製造方法を図３に基づいて説明する。図３（ａ）、（ｂ）、（ｃ）、（ｄ）および（ｅ）は、図１のアンテナ装置の製造方法の工程を説明するための図である。
図３（ａ）に示すように、接続金具３の上端部にヘリカルアンテナ素子４ａを取り付ける。この場合に、接続金具３の係止部３ｂの前記支持溝部にヘリカルアンテナ素子４ａの下端輪状部を挿入して接続金具に固定する。次に、図３（ｂ）に示すように、ヘリカルアンテナ素子４ａを被覆するように金型５を配置し、この状態で金型５の内部に樹脂材料を充填して中空筒状体４ｂをヘリカルアンテナ素子４ａと一体的に形成する。
次に、図３（ｃ）に示すように、樹脂ジョイント部材２の上部２ｂを上にして一体的に形成されたヘリカルアンテナ素子４ａおよび樹脂ジョイント部材２で中空筒状体４ｂおよび接続金具２の内部を挿通して樹脂ジョイント部材２の上部２ｂを接続金具２の上端部に支持させる。
次に、図３（ｄ）に示すように、ヘリカルアンテナ素子４ａと中空筒状体４ｂと樹脂ジョイント部材２および係止突起３ｂの外面のほぼ全体を被覆するように金型６を配置し、この状態で金型６の内部に樹脂材料を充填することにより、図３（ｅ）に示すような絶縁被覆部材４ｃを形成する。
【０００８】
次に、本発明の第２の実施の形態を図面に基づいて詳細に説明する。
図４は本発明の第２の実施の形態に係るアンテナ装置を示す断面図である。本発明の第２の実施の形態において本発明の第１の実施の形態と同じ構成要素には同じ参照符号が付されている。本発明の第２の実施の形態は、樹脂ジョイント部材２の構成の除けば本発明の第２の実施の形態と同じである。
図４に示すように、本発明の第２の実施の形態に係るアンテナ装置は、ホイップアンテナ部（第１のアンテナ部）１と、このホイップアンテナ部１の上端部に形成された樹脂ジョイント部材２と、この樹脂ジョイント部材２に取り付けられる接続金具３と、ホイップアンテナ部１に樹脂ジョイント部材２および接続金具３を介して取り付けられるヘリカルアンテナ部（第２のアンテナ部）４とを備えている。
樹脂ジョイント部材２は、保護被膜１ｂと連結され中空筒状体４ｂの内部に収容される棒状体２ｃと、この棒状体２ｃの上端部に外径がこの棒状体２ｃより大きいように形成され中空筒状体４ｂに支持される頂部２ｄとを有している。この頂部２ｄの下端外周部は、中空筒状体４ｂの上端部により支持されている。この場合には、接続金具３の係止突起３ｂは、中空筒状部４ｂの下端部のみを支持する。樹脂ジョイント部材２は、ナイロン等の樹脂で形成される。樹脂ジョイント部材２の棒状体２ｃには、下方へ開口された穴部が形成されている。樹脂ジョイント部材２の棒状体２ｃと保護被膜１ｂは、棒状体２ｃの前記穴部に保護被膜１ｂを圧入することにより連結されている。
本発明の第２の実施の形態に係るアンテナ装置は、本発明の第１の実施の形態に係るアンテナ装置と同じ製造方法により製造される。
【０００９】
【発明の効果】
以上のように、請求項１に記載の発明によれば、第１のアンテナ部と、この第１のアンテナ部の上端部に連結された樹脂ジョイント部材と、この樹脂ジョイント部材に取り付けられる接続金具と、前記第１のアンテナ部に前記樹脂ジョイント部材および前記接続金具を介して取り付けられる第２のアンテナ部とを備え、前記第１のアンテナ部は、第１のアンテナ素子と、この第１のアンテナ素子を被覆している保護被膜とを有し、前記第２のアンテナ部は、第２のアンテナ素子と、この第２のアンテナ素子が取り付けられ上下端が開口された中空筒状体とを有し、前記樹脂ジョイント部材は、前記保護被膜と連結され前記中空筒状体の内部に収容される棒状体と、この棒状体の上端部に外径がこの棒状体より大きいように形成され前記中空筒状体に支持される頂部とを有し、前記接続金具は、前記樹脂ジョイント部材の前記棒状体が挿通される接続筒状体と、この接続筒状体の上外周部に形成され前記中空筒状部の下端部を支持する係止突起とを有するから、製造が容易であり、かつ、前記接続金具が前記樹脂ジョイント部材から離脱するのを防止して前記第２のアンテナ部が前記第１のアンテナ部から離脱するのを防止することができる。
【図面の簡単な説明】
【図１】本発明の第１の実施の形態に係るアンテナ装置の一部を透視して示す一部切り欠き斜視図である。
【図２】図１のアンテナ装置を示す断面図である。
【図３】（ａ）〜（ｅ）は、図１のアンテナ装置の製造方法の工程を説明するための図である。
【図４】本発明の第２の実施の形態に係るアンテナ装置を示す断面図である。
【図５】従来のアンテナ装置を示す断面図である。
【図６】従来のアンテナ装置の要部を拡大して示す拡大断面図である。
【符号の説明】
１  ホイップアンテナ部（第１のアンテナ部）、１ａ  ホイップアンテナ素子（第１のアンテナ素子）、１ｂ  保護被膜、２  樹脂ジョイント部材、２ａ  下部、２ｂ  上部、２ｃ  棒状体、２ｄ  頂部、３  接続金具、３ａ  接続筒状体、３ｂ  係止突起、４  ヘリカルアンテナ部（第２のアンテナ部）、４ａ  ヘリカルアンテナ素子（第２のアンテナ素子）、４ｂ  中空筒状体、４ｃ  絶縁被覆部材。
【図１】
0004646413.tif 000002
【図２】
0004646413.tif 000003
【図３】
0004646413.tif 000004
【図４】
0004646413.tif 000005
【図５】
0004646413.tif 000006
【図６】
0004646413.tif 000007